(57)【要約】      （修正有）【課題】座りやすさを備えながら、主ベッドと同等の高さまで調節が可能な昇降機能を具備したソファベッドを提供する。【解決手段】ソファベッドを構成する支持脚１において、回動する昇降脚と昇降脚の回動量を調整するためにリンクバーと連結し、リンクバーに付随するスライド軸と当該スライド軸が直道フリーに移動できるスライド長孔、スライド軸の移動を固定するためのロックバーを具備した、ソファベッドとしての座りやすい高さを備えながら主ベッドと同等の高さまで高さ調節が可能な昇降機能を具備する。【選択図】図１
0003222397.tif 000002
【実用新案登録請求の範囲】
【請求項１】
ソファベッドとしての座りやすさを備えながら主ベッドと同等の高さまで高さ調節が可能な昇降機能を具備したことを特徴とするソファベッド
【考案の詳細な説明】
【技術分野】
【０００１】
本考案は、ソファベッドに設けた高さ調整機能に関するものである。
【背景技術】
【０００２】
一般的なホテルや旅館では、一部屋当たりの宿泊可能人数を調整するために主ベッドと共に予備ベッドとして使用可能な、ソファベッドを具備している場合がある。当該ソファベッドを使用することにより、ホテルや旅館では客室に余裕がなくなった際や宿泊料金を抑えたいお客様に対して、主ベッドと併用して、2台目、3台目のベッドとしてお使い頂き、宿泊客の要望を叶える使い方があった。
【先行技術文献】
【特許文献】
【０００３】
【特許文献１】特開2017-169866
【特許文献２】特開2017-023454
【考案の概要】
【考案が解決しようとする課題】
【０００４】
しかしながら一般的なホテルや旅館に具備されたソファベッドは、主としてソファとして使用することを前提として設計されているため、利用者がベッドで就寝する際も一般的な主ベッドの高さよりも低い、座りやすい高さで作られている。
【０００５】
また近年の傾向としてホテルや旅館に具備される通常のベッドは、宿泊客に自宅とは違う、高級感や特別感を体感して頂くために、床からマットレス表面までの高さを厚く、高く設計されている。そのため宿泊部屋のソファベッドをベッドとして使用する際のソファベッドと主ベッドのマットレス表面までの高さを比較すると、必然的にソファベッドが主ベットに比べ低くなり、ソファベッドによって部屋全体の統一感がない印象を宿泊客に与える場合がある。
【課題を解決するための手段】
【０００６】
本考案は前述した課題を鑑み、ソファベッドとしての座り易い高さを備えながら、主ベッドと同等の高さまで高さ調節が可能な昇降機能を具備したことを特徴とするソファベッドを提供することにある。
【図面の簡単な説明】
【０００７】
【図１】ソファとして使用する際のソファベッド正面図である。
【図２】ソファとして使用する際のソファベッド側面図である。
【図３】ベッドとして使用する際のソファベッド正面図である。
【図４】ベッドとして使用する際のソファベッド側面図である。
【図５】実施形態例1のベッドとして使用する際の内部構造部を示す支持脚1の切断拡大図である。
【図６】実施形態例1のソファとして使用する際の内部構造部を示す支持脚1の切断拡大図である。
【図７】実施形態例2のベッドとして使用する際の内部構造部を示す支持脚1の切断拡大図である。
【図８】実施形態例2のソファとして使用する際の内部構造部を示す支持脚1の切断拡大図である。
【図９】実施形態例3のベッドとして使用する際の内部構造部を示す支持脚1の切断拡大図である。
【図１０】実施形態例3のソファとして使用する際の内部構造部を示す支持脚1の切断拡大図である。
【考案を実施するための形態】
【０００８】
以降に、考案の実施例を説明する。
【実施例】
【０００９】
図1ないし図4は本考案のソファベッドの全体像の一例を示すものであり、昇降機能を具備した支持脚1と利用者が座り又は眠るためのマットレス2、利用者が座った際の背もたれとなる取り外し自由な背もたれクッション3から構成されている。
【００１０】
図1は本考案のソファベッドをソファとして使用する際の代表的実施形態例の正面図であり、図2はその側面図を示す。支持脚1は低い状態で固定され、床面からマットレス2の表面までの高さが人が座りやすい高さに設定されている。
【００１１】
図3は図1に示したソファベッドをベッドとして利用する際の正面図であり、図4はその側面図を示す。床面からマットレス2の表面までの高さが宿泊部屋の主ベッドのマットレス表面の高さまで支持脚1の高さが調節され上昇する。また宿泊客の就寝時に不要な背もたれクッション3は上昇した支持脚1の下部に生じた空間に格納し、広々とベッドとしてご使用頂ける状態となる。
【００１２】
また図3ないし図4の状態で本考案のソファベッドのマットレス2の表面の高さが主ベッドのマットレスと同じ高さになることで、前述した宿泊部屋の統一感を乱すことなく主ベッドの高級感や特別感と見劣りすることなく体感して頂く以外に、主ベッドと本考案ソファベッドの長手方向を密着させて配することで大きな一体のベッドとして宿泊客にご利用いただける使用方法も考えられる。主ベッドよりも大きな一体のベッドとして宿泊客にご使用頂くことで、より高級感や特別感を体感していただくことができる。
【００１３】
前述した考案の実施例を実現可能とするために必要な支持脚1の構造及び機構の実施形態例を後述する。
【００１４】
図5はベッドとして使用した際の本考案の実施形態例1として支持脚1の高さ調節機構部分を拡大して示したものであり、表示されていない反対方向の高さ調節機構部分にも同様の構造が使われているものとする。図6は同一の構造でソファとして使用した際の構造を拡大して示したものである。図5の状態から図6のソファとして使用する高さまで高さ調節をする際は支持脚1全体を数センチ程度持ち上げ昇降脚１-a6が重力に従って昇降脚回転軸1-a7を中心に時計回りに回動し、昇降脚1-a6と連結されているリンクバー1-a5に連動し、スライド軸1-a3はスライド長孔1-a4に従い、昇降脚回転軸1-a7方向へ移動する。その際にスライド軸1-a3を固定しているロックバー1-a1のロックが外れ、手動でロックバー1-a1をロックバー回転軸1-a2を中心に反時計回りに回動させる。
【００１５】
ロックバー1-a1を反時計回りに回動させた状態を保持し、持ち上げた支持脚1全体を下げていくと昇降脚1-a6は昇降脚回転軸1-a7を中心に反時計回りに回動し、昇降脚1-a6と連結されているリンクバー1-a5に連動し、スライド軸1-a3はスライド長孔1-a4の誘導に沿ってロックバー回転軸1-a2方向に移動する。さらに支持脚1全体を下げていくと図6のようにソファ脚1-a8が床面に設置し、支持脚1はそれ以上下がらなくなり、ソファとして使用するための高さで固定される。
【００１６】
図6のソファ高さから図5のベッドの高さへ高さ調節する際は、支持脚1全体を持ち上げ、重力に従って昇降脚1-a6が昇降脚回転軸1-a7を中心に時計回りに回動し、昇降脚1-a6と連結されているリンクバー1-a5に連動し、スライド軸1-a3はスライド長孔1-a4に従い、昇降脚回転軸1-a7方向へ移動する。さらに支持脚1全体をベッドの高さまで持ち上げ、ロックバー1-a1をロックバー回転軸1-a2を中心に反計回りに回動させ、スライド軸1-a3を固定する。
【００１７】
また図7はベッドとして使用した際の本考案の実施形態例2として支持脚1の高さ調節機構部分を拡大して示したものであり、表示されていない反対方向の高さ調節機構部分にも同様の構造が使われているものとする。図8は同一の構造でソファとして使用した際の構造を拡大して示したものである。図7の状態から図8のソファとして使用する高さまで高さ調節をする際は支持脚1全体を数センチ程度持ち上げ昇降脚１-b6が重力に従って昇降脚回展軸1-b7を中心に時計回りに回動し、昇降脚1-b6と連結されているリンクバー1-b5に連動し、スライド軸1-b3はスライド長孔1-b4に従い、昇降脚回転軸1-b7方向へ移動する。その際にスライド軸1-b3を固定しているロックバー1-b1-1のロックが外れ、手動でロックバー1-b1をロックバー回転軸1-b2を中心に反時計回りに回動させる。
【００１８】
ロックバー1-b1を反時計回りに回動させた状態を保持し、持ち上げた支持脚1全体を下げていくと昇降脚1-b6は昇降脚回転軸1-b7を中心に反時計回りに回動し、昇降脚1-b6と連結されているリンクバー1-b5に連動し、スライド軸1-b3はスライド長孔1-b4の誘導に沿ってロックバー回転軸1-b2方向に移動する。ロックバー1-b1をロックバー回転軸1-b2を中心に反時計回りに回動することをやめ、さらに支持脚1全体を下げていくと図8のようにロックバー1-b1-2がスライド軸1-b3と接触固定され、支持脚1はそれ以上下がらなくなり、ソファとして使用するための高さで固定される。
【００１９】
図8のソファ高さから図7のベッドの高さへ高さ調節する際は、支持脚1全体を持ち上げ、重力に従って昇降脚1-b6が昇降脚回転軸1-b7を中心に時計回りに回動し、昇降脚1-b6と連結されているリンクバー1-b5に連動し、スライド軸1-b3はスライド長孔1-b4に従い、昇降脚回転軸1-b7方向へ移動する。さらに支持脚1全体をベッドの高さまで持ち上げ、ロックバー1-b1-1をロックバー回転軸1-b2を中心に時計回りに回動させ、スライド軸1-b3を固定する。
【００２０】
また図9はベッドとして使用した際の本考案の実施形態例3として支持脚1の高さ調節機構部分を拡大して示したものであり、表示されていない反対方向の高さ調節機構部分にも同様の構造が使われているものとする。図10は同一の構造でソファとして使用した際の構造を拡大して示したものである。図9の状態から図10のソファとして使用する高さまで高さ調節をする際は支持脚1全体を数センチ程度持ち上げ昇降脚１-c6が重力に従って昇降脚回展軸1-c7を中心に時計回りに回動し、昇降脚1-c6と連結されているリンクバー1-c5に連動し、スライド軸1-c3はスライド長孔1-c4に従い、昇降脚回転軸1-c7方向へ移動する。その際にスライド軸1-c3を固定しているロックバー1-c1-1のロックが外れ、手動でロックバー1-c1をロックバー回転軸1-c2を中心に反時計回りに回動させる。
【００２１】
ロックバー1-c1を反時計回りに回動させた状態を保持し、持ち上げた支持脚1全体を下げていくと昇降脚1-c6は昇降脚回転軸1-c7を中心に反時計回りに回動し、昇降脚1-c6と連結されているリンクバー1-c5に連動し、スライド軸1-c3はスライド長孔1-c4の誘導に沿ってロックバー回転軸1-c2方向に移動する。ロックバー1-ｃ1をロックバー回転軸1-c2中心に反時計回りに回動させることをやめ、さらに支持脚1全体を下げていくと図10のようにソファ高さ固定溝1-c1-2とスライド軸1-c3が接触固定され、支持脚1はそれ以上下がらなくなり、ソファとして使用するための高さで固定される。
【００２２】
図10のソファ高さから図9のベッドの高さへ高さ調節する際は、支持脚1全体を持ち上げ、重力に従って昇降脚1-c6が昇降脚回転軸1-c7を中心に時計回りに回動し、昇降脚1-c6と連結されているリンクバー1-c5に連動し、スライド軸1-c3はスライド長孔1-c4に従い、昇降脚回転軸1-c7方向へ移動する。スライド軸1-c3のロックを解除するため、ロックバー1-c1をロックバー回転軸1-c2
を中心に反時計回りに回動させ、さらに支持脚1全体をベッドの高さまで持ち上げる。その後ロックバー1-c1-1をロックバー回転軸1-c2を中心に時計回りに回動させ、スライド軸1-c3を固定する。
【００２３】
また本考案の要点である支持脚1の高さ調整については、実施形態例1ないし例3として前述したような手動による方法以外にも、アクチュエーターを使用した電動機構による高さ調節でも要点は十分目的を果たせるものと思われる。
【符号の説明】
【００２４】
1・・・支持脚
2・・・マットレス
3・・・背もたれクッション
【図１】
0003222397.tif 000003
【図２】
0003222397.tif 000004
【図３】
0003222397.tif 000005
【図４】
0003222397.tif 000006
【図５】
0003222397.tif 000007
【図６】
0003222397.tif 000008
【図７】
0003222397.tif 000009
【図８】
0003222397.tif 000010
【図９】
0003222397.tif 000011
【図１０】
0003222397.tif 000012
【手続補正書】
【提出日】令和1年5月28日(2019.5.28)
【手続補正１】
【補正対象書類名】実用新案登録請求の範囲
【補正対象項目名】全文
【補正方法】変更
【補正の内容】
【実用新案登録請求の範囲】
【請求項１】
ソファベッドを構成する支持脚において、回動する昇降脚と昇降脚の回動量を調整するためにリンクバーと連結し、リンクバーに付随するスライド軸と当該スライド軸が直道フリーに移動できるスライド長孔、スライド軸の移動を固定するためのロックバーを具備した、ソファベッドとしての座りやすい高さを備えながら主ベッドと同等の高さまで高さ調節が可能な昇降機能を具備したことを特徴とするソファベッド。